(57)【要約】【課題】  脚部強化等のための走行運動をペットと人が兼用して使用することができ、かつ人に好適な走行運動環境を提供する。【解決手段】  使用者の走行運動を支援するための無端の走行用ベルト１２３を有する走行駆動部１２を備えた運動支援装置１において、走行駆動部１２の前端側に立設され、運動中の使用者が把持可能な把持部１３２を有する支持体１３と、支持体１３の把持部１３２より下部に設けられ、ペットを繋ぎ止める繋ぎ止め機構部１４とを備え、繋ぎ止め機構部１４は、ペットを繋ぎ止める際の使用位置と使用者の走行運動を支援する際の退避位置との間で移動可能に構成されている。【選択図】    図１
2007082418.tif 000002
【特許請求の範囲】
【請求項１】
使用者の走行運動を支援するための擬似的な走行路を有する走行駆動部を備えた運動支援装置において、前記走行駆動部の前端側に立設され、運動中の使用者が把持可能な把持部を有する支持体と、前記支持体の前記把持部より下部に設けられ、ペットを繋ぎ止める繋ぎ止め機構部とを備え、前記繋ぎ止め機構部は、ペットを繋ぎ止める際の使用位置と使用者の走行運動を支援する際の退避位置との間で移動可能に構成されていることを特徴とする運動支援装置。
【請求項２】
前記走行駆動部を支持する基台を有し、前記走行駆動部は、前記基台の前後端部に略水平面上で平行配置された１対のロ−ラと、両ロ−ラ間に張設された無端ベルトと、この無端ベルトを周回動作させる駆動源とを備えてなることを特徴とする請求項１記載の運動支援装置。
【請求項３】
前記支持体は、前記基台の前端部の幅方向両側に立設され、高さ方向適所で後方に向けて前記把持部が形成された１対の支柱を備え、前記繋ぎ止め機構部は、前記把持部の下部で前記１対の支柱間に設けられると共に、左右方向の略中央でペットの拘束紐を繋ぐ繋ぎ部材を備えていることを特徴とする請求項２記載の運動支援装置。
【請求項４】
前記繋ぎ止め機構部は、前記支柱への取り付け位置が高さ方向に調整可能であることを特徴とする請求項３記載の運動支援装置。
【請求項５】
前記繋ぎ止め機構部は、前記両支柱に水平軸周りに回動可能に支持された１対の回動アームと、両回動アームの先端同士を連結する連結部材と、前記連結部材を上方へ付勢する付勢部材とを備え、前記繋ぎ部材は、前記連結部材の左右方向の略中央に設けられていることを特徴とする請求項３記載の運動支援装置。
【請求項６】
前記繋ぎ止め機構部は、前記両支柱に水平軸周りに回動可能に支持された１対の回動アームと、両回動アームの先端同士を連結する連結棒部材と、前記両回動アームの回動を少なくとも前記退避位置にロックするロック部材と、前記連結棒部材に伸縮可能に遊嵌されたコイル状バネ部材とを備え、前記繋ぎ部材は、前記コイル状バネ部材の略両端部に対して両端がそれぞれ結ばれた変形容易な紐材からなることを特徴とする請求項３記載の運動支援装置。
【請求項７】
前記走行駆動部の駆動を制御する制御部を備えたことを特徴とする請求項１〜６のいずれかに記載の運動支援装置。
【請求項８】
前記制御部は、前記無端ベルトの周回速度が表示可能な表示部と、前記表示部に隣接して設けられ、少なくとも周回速度の設定入力が可能な操作部とを備え、前記操作部で入力された操作内容に従って前記走行駆動部の駆動を制御することを特徴とする請求項７記載の運動支援装置。
【請求項９】
前記制御部は、正面に前記表示部及び操作部が露呈された筐体と、前記筐体を、前記正面が後方を向く位置と、１８０度回転して前方を向く位置との間で姿勢変更可能に前記支柱に装着する装着部とを備えたことを特徴とする請求項８記載の運動支援装置。
【請求項１０】
前記基台の後端部に設けられ、無端ベルト上のペットが前記無端ベルトの後端位置にいることを検知するセンサを有し、前記制御部は、前記センサがペットの存在を検知すると前記制御部に前記走行駆動部を減速及び停止の一方の指令信号を出力することを特徴とする請求項８または９に記載の運動支援装置。
【請求項１１】
前記基台は、前記無端ベルトの後端部分を覆う後部カバーを備えたことを特徴とする請求項１０記載の運動支援装置。
【請求項１２】
前記後部カバーは、前記無端ベルトと対面する面にペットの抜け毛を収集する掃除具を備えたことを特徴とする請求項１１に記載の運動支援装置。
【請求項１３】
前記基台は、前記無端ベルトの前端部分を覆う前部カバーを備え、この前部カバーの上面に餌置き用の凹部が形成されていることを特徴とする請求項１０〜１２のいずれかに記載の運動支援装置。
【発明の詳細な説明】
【技術分野】
【０００１】
この発明は、使用者の走行運動を支援するための模擬的な走行路を有する走行駆動部を備えた運動支援装置に関するものである。
【背景技術】
【０００２】
従来、この種の運動支援装置として各種のものが知られている。特許文献１には、人の運動支援装置として、たとえば走行用ベルトを周回駆動し、その上面で走行運動を行うウォーキングマシンが提案されている。また、特許文献２には、犬の運動支援装置として、たとえば走行用ベルトの上面側の周囲を囲むように設置された籠内に犬を収納した状態で、走行用ベルトを駆動させて犬の走行運動を支援する犬用運動器具が提案されている。
【特許文献１】特開２０００−２８８１４４号公報
【特許文献２】特開２００１−１７０１７号公報
【発明の開示】
【発明が解決しようとする課題】
【０００３】
しかしながら、これらの運動支援装置は、いずれも人またはペットの一方のみの脚部運動の支援に供するものであり、これらを個別に準備して使用すれば、経済的かつ設置スぺースなどにおいて、きわめて無駄が多く、汎用性に欠けるといった課題がある。
【０００４】
また、前述のような犬用運動器具において、籠内に収納された犬が安心して走行運動をすることができるか否かといった課題もある。
【０００５】
本発明は前記課題を解消するためになされたもので、脚部強化、運動不足解消、健康維持等のための走行運動をペットと人が兼用して使用することができ、かつ人に好適な走行運動環境を提供する運動支援装置を提供することを目的とする。
【０００６】
また、この発明の他の目的は、犬などのペットに好適な走行運動環境を提供することにある。
【課題を解決するための手段】
【０００７】
請求項１に記載の発明は、使用者の走行運動を支援するための擬似的な走行路を有する走行駆動部を備えた運動支援装置において、前記走行駆動部の前端側に立設され、運動中の使用者が把持可能な把持部を有する支持体と、前記支持体の前記把持部より下部に設けられ、ペットを繋ぎ止める繋ぎ止め機構部とを備え、前記繋ぎ止め機構部は、ペットを繋ぎ止める際の使用位置と使用者の走行運動を支援する際の退避位置との間で移動可能に構成されていることを特徴とするものである。
【０００８】
この構成によれば、把持部を掴みながら走行運動をすることによって運動中の人体の姿勢が安定に保持され、一方、ペットに走行運動をさせる場合には、使用位置にある繋ぎ止め機構部によってペットが走行路上に維持されるので、走行運動を行わせることが可能となる。繋ぎ止め機構部は、ペットを繋ぎ止めるために把持部より下方に設けられているため、人が走行運動を行う際には、退避位置に移動されるので、人の走行時に繋ぎ止め機構部に脚に当たるなどの支障にならず、好適な運動環境が提供される。なお、本発明にいう走行には走行路の速度との関係で歩行に近い速度及び歩行の態様も含まれる。不使用時に取り外し可能な構造のものでは、その都度の取り外しや取り付け作業が煩わしく、却って取り付けたまま人が運動して、窮屈な走行運動を強いられたり、逆に膝が当たって繋ぎ止め機構部を破損させる可能性もあり、また、繋ぎ止め機構部の収納スペース、収納箱などが必要となるという問題があるが、上記構成では、このような問題がない。
【０００９】
請求項２に記載の発明は、請求項１記載の運動支援装置において、前記走行駆動部を支持する基台を有し、前記走行駆動部は、前記基台の前後端部に略水平面上で平行配置された１対のロ−ラと、両ロ−ラ間に張設された無端ベルトと、この無端ベルトを周回動作させる駆動源とを備えてなることを特徴とする。この構成によれば、走行路が周回動作する無端ベルトで構成されるので、無端ベルト上でありながら実際に近い走行運動が実現される。
【００１０】
請求項３に記載の発明は、請求項２記載の運動支援装置において、前記支持体は、前記基台の前端部の幅方向両側に立設され、高さ方向適所で後方に向けて前記把持部が形成された１対の支柱を備え、前記繋ぎ止め機構部は、前記把持部の下部で前記１対の支柱間に設けられると共に、左右方向の略中央でペットの拘束紐を繋ぐ繋ぎ部材を備えていることを特徴とする。この構成によれば、比較的低い位置でペットの拘束紐が繋ぎ部材に繋がれるので、飼い主がペットを拘束紐（リード）で実際に散歩する状態と似た環境とすることが可能となり、ペットの走行運動の支援が好適に行われる。
【００１１】
請求項４に記載の発明は、請求項３記載の運動支援装置において、前記繋ぎ止め機構部は、前記支柱への取り付け位置が高さ方向に調整可能であることを特徴とする。この構成によれば、繋ぎ止め機構部がペットの種類、背丈に合わせるなどして高さ調整可能となるので、ペットに無理な引っ張り力を与えることなく、軽快なペットの運動支援が可能となる。
【００１２】
請求項５に記載の発明は、請求項３記載の運動支援装置において、前記繋ぎ止め機構部は、前記両支柱に水平軸周りに回動可能に支持された１対の回動アームと、両回動アームの先端同士を連結する連結部材と、前記連結部材を上方へ付勢する付勢部材とを備え、前記繋ぎ部材は、前記連結部材の左右方向の略中央に設けられていることを特徴とする。この構成によれば、連結部材は回動アームを介して旋回可能にされており、付勢部材で上方に付勢されることで、退避位置に自動的に位置決めされる。また、連結部材は、繋ぎ部材を介してペットが繋がれ、無端ベルト上で走行運動している場合であって、ペットが無端ベルトの前側乃至は中央から急に走行が遅れあるいは走りを止めたときに、連結部材が付勢部材の上方への付勢力に抗して後方に弾性的に旋回移動するので、ペットの拘束紐に急激な引っ張り力が作用せず、緩衝機能が果たされ、ペットに対する好適な走行運動環境が提供される。また、人が走行運動を行う場兄は、繋ぎ止め機構部は付勢部材によって自動的に退避位置に移動するので、付勢部材は、ペットを緩衝的に繋ぐ機能と兼用して働くことになる。なお、前方側への退避位置とは、使用位置に対して相対的に前方側に位置する態様も含み、例えば使用位置は略後方を向いている場合、退避位置は略上方〜略前方の間が含まれる。
【００１３】
請求項６に記載の発明は、請求項３記載の運動支援装置において、前記繋ぎ止め機構部は、前記両支柱に水平軸周りに回動可能に支持された１対の回動アームと、両回動アームの先端同士を連結する連結棒部材と、前記両回動アームの回動を少なくとも前記退避位置にロックするロック部材と、前記連結棒部材に伸縮可能に遊嵌されたコイル状バネ部材とを備え、前記繋ぎ部材は、前記コイル状バネ部材の略両端部に対して両端がそれぞれ結ばれた変形容易な紐材からなることを特徴とする。この構成によれば、コイル状バネが開放状態で伸張しているときには、紐材である繋ぎ部材の中央部位の、連結棒部材からの後方への長さ成分は小さい。しかし、ペットによって連結棒部材が後方に引かれるようになると、紐材である繋ぎ部材がコイル状バネの伸張力に抗して、コイル状バネを圧縮させるので、紐材の両端は近づくことになり、その結果、紐材の中央部の、連結棒部材からの後方への長さ成分は大きくなる。このように、ペットの拘束紐に急激な引っ張り力が作用せず、緩衝機能が果たされるので、ペットは弾性的に拘束され、好適な走行運動環境が提供される。また、人の走行運動中は、ロック部材によって連結棒部材、繋ぎ部材が上方位置に位置決めされるので、使用者の走行運動に支障となることがなく、人に対し好適な走行運動環境が提供される。
【００１４】
請求項７に記載の発明は、請求項１〜６のいずれかに記載の運動支援装置において、前記走行駆動部の駆動を制御する制御部を備えたことを特徴とする。この構成によれば、制御部によって走行駆動部の駆動動作が制御されるので、無端ベルトの走行状態を、人、ペットそれぞれに好適なものとすることが可能となる。
【００１５】
請求項８に記載の発明は、請求項７記載の運動支援装置において、前記制御部は、前記無端ベルトの周回速度が表示可能な表示部と、前記表示部に隣接して設けられ、少なくとも周回速度の設定入力が可能な操作部とを備え、前記操作部で入力された操作内容に従って前記走行駆動部の駆動を制御することを特徴とする。この構成によれば、使用者は表示部の周回速度（走行速度）を参照しながら、操作部を介して所望する走行運動状態を指示することが可能となる。また、ペットの走行運動に対しても、ペットの走行状況を見ながら無端ベルトの走行状態が調整可能となる。
【００１６】
請求項９に記載の発明は、請求項８記載の運動支援装置において、前記制御部は、正面に前記表示部及び操作部が露呈された筐体と、前記筐体を、前記正面が後方を向く位置と、１８０度回転して前方を向く位置との間で姿勢変更可能に前記支柱に装着する装着部とを備えたことを特徴とする。この構成によれば、人が使用する場合、筐体を後方に向け、無端ベルト上から前方に顔を向けたまま表示部の内容を確認しながら操作部に対して操作入力が容易となり、一方、ペットが使用する場合、筐体をその正面が前方を向くように１８０度旋回させ、かつ上下に向きを変えると、飼い主は基台の前側から後方を向いて無端ベルト上のペットを観察しながら、ペットの走行状態に合わせて、表示部の表示内容の確認と操作入力が容易可能となる。
【００１７】
請求項１０に記載の発明は、請求項８または９に記載の運動支援装置において、前記基台の後端部に設けられ、無端ベルト上のペットが前記無端ベルトの後端位置にいることを検知するセンサを有し、前記制御部は、前記センサがペットの存在を検知すると前記制御部に前記走行駆動部を減速及び停止の一方の指令信号を出力することを特徴とする。この構成によれば、センサによってペットが無端ベルトの後端位置にいることが検知されると、無端ベルトの周回速度に対して遅れ気味と判断して、走行駆動部が減速または停止の状態に調整される。これにより、ペットの疲労度などに応じて自動的に無端ベルトが低速走行あるいは走行停止されて、ペットの疲労度等に合わせての運動支援が継続される。人に対しても、同様に速度制御が行われ得る。
【００１８】
請求項１１に記載の発明は、請求項１０に記載の運動支援装置において、前記基台は、前記無端ベルトの後端部分を覆う後部カバーを備えたことを特徴としたので、無端ベルトの後端から誤って落下する可能性が低減する。また、走行中のペットが無端ベルトの下方に巻き込まれたり、あるいは第三者のペットが不用意に装置に近づいて無端ベルトに巻き込まれることが防がれる。
【００１９】
請求項１２に記載の発明は、請求項１１記載の運動支援装置において、前記後部カバーは、前記無端ベルトと対面する面にペットの抜け毛を収集する掃除具を備えたことを特徴としたので、掃除具によってペットの抜け毛がカバーの部分で、例えば掻き集める等されるので、無端ベルト上にペットの抜け毛などが散在することがなくなり、清潔な環境でペットの走行運動が支援可能となる。また、抜け毛が装置内部のモータ部等に侵入することが防がれる。
【００２０】
請求項１３に記載の発明は、請求項１０ないし１２のいずれかに記載の運動支援装置において、前記基台は、前記無端ベルトの前端部分を覆う前部カバーを備え、この前部カバーの上面に餌置き用の凹部が形成されていることを特徴としたので、この凹部に餌を直接あるいは餌が入れられた皿を置いておけば、餌につられてペットの走行が効果的に誘導される。なお、凹部には餌の他、ペットが関心を持つような玩具等を置くようにしてもよい。
【発明の効果】
【００２１】
請求項１記載の発明によれば、人が本装置で走行運動を行う際には、繋ぎ止め機構部を退避位置に移動するようにしたので、脚部運動をペットと人が兼用して使用することができ、かつ人の走行時に繋ぎ止め機構部に脚に当たるなどの支障にならず、好適な走行運動環境が提供できる。
【００２２】
請求項２に記載の発明によれば、走行路が周回動作する無端ベルトで構成されるので、無端ベルト上でありながら実際に近い走行運動が実現できる。
【００２３】
請求項３に記載の発明によれば、比較的低い位置でペットの拘束紐が繋ぎ部材に繋がれるので、飼い主がペットを拘束紐（リード）で実際に散歩する状態と似た環境とすることが可能となり、ペットに好適な走行運動環境を提供できる。
【００２４】
請求項４に記載の発明によれば、繋ぎ止め機構部をペットの種類、背丈に合わせるなどして高さ調整可能となるので、ペットに無理な張力を付勢することなく、軽快なペットの運動支援が可能となる。
【００２５】
請求項５に記載の発明によれば、連結部材を退避位置に自動的に位置決めできる。また、連結部材によって、ペットの拘束紐に急激な引っ張り力を作用させず、緩衝機能を果たし、ペットに対する好適な走行運動環境が提供できる。
【００２６】
請求項６に記載の発明によれば、コイル状バネによって、ペットの拘束紐に急激な引っ張り力を作用させず、緩衝機能を果たしてペットを弾性的に拘束するので、好適な走行運動環境を提供できる。される。また、人の走行運動中は、ロック部材によって連結棒部材、繋ぎ部材を上方位置に位置決めするので、使用者の走行運動に支障となることがなく、人に対し好適な走行運動環境を提供できる。
【００２７】
請求項７に記載の発明によれば、制御部によって走行駆動部の駆動動作が制御されるので、無端ベルトの走行状態を、人、ペットそれぞれに好適なものとすることができる。
【００２８】
請求項８に記載の発明によれば、使用者は表示部の周回速度（走行速度）を参照しながら、操作部を介して所望する走行運動状態を指示することが可能となる。また、ペットの走行運動に対しても、ペットの走行状況を見ながら無端ベルトの走行状態が調整可能となる。
【００２９】
請求項９に記載の発明によれば、人が使用する場合、筐体を後方に向け、無端ベルト上から前方に顔を向けたまま表示部の内容を確認しながら操作部に対して操作入力を容易とし、一方、ペットが使用する場合、筐体を１８０度旋回させると、飼い主に対して基台の前側から後方を向いて無端ベルト上のペットを観察しながら、ペットの走行状態に合わせて、表示部の表示内容の確認と操作入力を容易可能とすることができる。
【００３０】
請求項１０に記載の発明によれば、ペット、人の疲労度などに応じて自動的に無端ベルトを低速走行あるいは走行停止させて、ペット等の疲労度等に合わせての運動支援を継続させることができる。
【００３１】
請求項１１に記載の発明によえば、無端ベルトの後端から誤って落下する可能性を低減できる。
【００３２】
請求項１２に記載の発明によれば、清潔な環境でペットの走行運動を支援できる。また、抜け毛の装置内部のモータ部等への侵入が防止できる。
【００３３】
請求項１３に記載の発明によれば、凹部に餌を直接あるいは餌が入れられた皿を置いておくことで、餌につられてペットの走行を効果的に誘導できる。
【発明を実施するための最良の形態】
【００３４】
図１は、本発明に係る運動支援装置の一実施形態を示す全体斜視図である。  同図において、運動支援装置１は、装置１を床面に安定姿勢で置くための基部となる基台１１と、基台１１に取り付けられ、擬似的な走行路上での走行運動による脚部強化等を支援する走行駆動部１２と、運動者の姿勢の安定を図る支持体１３とを備えると共に、上記の擬似的な走行路上でペットを走行させるべく、犬などのペットを走行路上に繋ぎ止める繋ぎ止め機構部１４とを備えて構成されている。さらに、運動支援装置１は走行駆動部１２に対する動作指示及び駆動の制御を行う制御部２０を備えている。
【００３５】
基台１１は、装置１を床面に安定姿勢で設置するためのもので、人が走行運動動作を行い得るに必要な所要の幅に対応する所定間隔を左右方向に置いて平行配置された左右フレーム部１１１と、左右フレーム部１１１を前後で固定する前後フレーム部１１２等を備えている。
【００３６】
走行駆動部１２は、左右フレーム部１１１の前後部でそれぞれ両端が支持された互いに平行な前ローラ１２１と後ローラ１２２（図７参照）、前後ローラ１２１，１２２に掛け渡されて周回動作をすることで擬似的な走行路として機能する、所定幅を有する無端状の走行用ベルト１２３、及び図１では見えていないが、一方のローラ、ここでは前ローラ１２１に回転力を与えて走行用ベルト１２３に周回動作を行わせる駆動源としてのモータ１２４（図７参照）を備えている。なお、モータ１２４の回転軸と前ローラ１２１との駆動力伝達構造としては、それぞれの一部に固設されたギア同士の噛合やタイミングベルト掛け等の公知の技術が採用されている。
【００３７】
基台１１において、走行用ベルト１２３の前後部（すなわち前後ローラ１２１，１２２の配置位置）には、その部分を幅方向全体に亘って覆う前後カバー１１３，１１４が取り付けられている。前カバー１１３は、モータ１２４を覆う役目も果たすものであり、さらに図２に示すように、前カバー１１３の上面適所、好ましくは略中央には、ペットの餌用の凹部１１５が形成されている。この凹部１１５には餌を直接入れてもよく、あるいは図２のように餌用皿Ｓを収納するものとしてもよい。後カバー１１４は、図３に示すように、基部１１４ａと、基部１１４ａから屈曲されて後ローラ１２２の後ろ半部を覆う覆面部１１４ｂとで構成されている。覆面部１１４ｂの内面側であって、走行用ベルト１２３と対向する、例えば内面上端部には左右方向に亘って、例えばブラシ状の掃除具１１４ｃが設けられ、ペットの抜け毛Ｈａなどを掻き集めるなどして収拾するようにして、走行用ベルト１２３上面への散在や前後カバー１１３，１１４内への侵入と堆積とを効果的に阻止するようにしている。なお、収拾ゴミの回収は、電気掃除機等で掃除具１１４ｃの部分を直接吸引してもよく、あるいは、後カバー１１４を基部１１４ａで左右フレーム部１１１に回動可能に取り付けておいて、使用時には閉塞させ（図３の状態）、掃除時には開成するようにしてもよい。フェンス１１６は左右フレーム部１１１に左右対称に立設され、走行用ベルト１２３上を走行するペットの左右への落下等を防止するものである。
【００３８】
支持体１３は、基台１１に、ここでは前フレーム部１１２から立設され、頂部で連接された略逆Ｕ字状の支柱１３１と、支柱１３１の高さ方向の途中適所から後方に向けて所要寸法だけ延設された棒状の把持部１３２とを備えている。把持部１３２は運動中の使用者が手で掴むことで運動時の姿勢の安定を図るものである。支柱１３１の適所、ここでは頂部の連接部位の左右略中央位置に、所定形状、例えば略平板状の機器ケース（筐体）２００を有する制御部２０が装着具２０１によって装着されている。装着具２０１は機器ケース２００の後面との間で、球体と、球体の少なくとも半分以上を囲繞する凹部とからなる公知の連結構造、例えばユニバーサルジョイント構造で連結されており、装着状態で、所要の摩擦負荷を有して、機器ケース２００が３６０度、少なくとも１８０度回転可能（図４（ｂ）の矢印参照）、かつ所要角度だけ傾倒（図４（ａ）の矢印参照）可能にされると共に、各位置で姿勢が維持されるようにしている。あるいは、所要の位置で節度感を付与する構造を採用しても良い。操作摘み２０１ａは回動することで、支柱１３１に対して締め付けと弛緩を行う公知のものである。図４は、機器ケース２００の移動を示すもので、図４（ａ）は傾倒状態を、図４（ｂ）は回転状態を示している。
【００３９】
繋ぎ止め機構部１４は、支柱１３１の高さ方向適所、例えば略中央部であって、把持部１３２の下方位置に装備されている。繋ぎ止め機構部１４は、図５に詳細に示すように、左右の支柱１３１に対して水平軸周りに回動可能に取り付けられた所定長を有する回動アーム１４１と、両方の回動アーム１４１の先端同士を連結する連結部材１４２と、支柱１３１と回動アーム１４１の長さ方向適所、例えば略中間位置との間に係止されたバネ１４３（付勢部材に相当）と、連結部材１４２の中央位置に取り付けられた、ペットを繋ぎ止めるための繋ぎ部材１４４とを備える。繋ぎ部材１４４は、本実施形態では、所要長を有する棒状の保持ロッド１４４ａと、その先端に取り付けられ、ペットの拘束紐（リード）３０を連結するホルダー１４４ｂとからなる。回動アーム１４１は、支柱１３１に摺動可能に嵌合されたボス部材１４０ａに水平軸周りに回動可能に設けられ、ボス部材１４０ａは回動による支柱１３１との間の締め付けと弛緩とによって上下方向への摺動による高さ調整と所要高さ位置での固定とを行う摘み１４０ｂ（ロック部材に相当）とを有する。
【００４０】
なお、ボス部材１４０ａを長尺にして、バネ１４３の一端をボス部材１４０ａで係止する構造としてもよい。摘み１４０ｂによって、繋ぎ止め機構部１４の高さ位置が調整されるので、ペットの種類とか背丈に合わせた高さ調整が可能となる。また、ペットを繋ぎ部材１４４に繋いだ状態で、走行用ベルト１２３の周回速度が相対的にペットの走行速度より速いときには、バネ１４３の弾性力によって回動アーム１４１が後方に回動するので引っ張り力が緩衝され、ペットの体、特に首部近傍に対する負担を軽減できる。さらに、繋ぎ止め機構部１４の特に連結部材１４２は、ペットが繋がれて、運動中（使用中）にはほぼ後方に位置しているが、ペットが繋がれていないバネ開放状態ではバネ１４３の圧縮力によって上方に回動した退避位置に位置決めされる。このように、バネ１４３は、緩衝機能と使用位置と退避位置との間での自動的な位置移動機能とを果たしている。
【００４１】
制御部２０は、図４に示すように機器ケース２００の上面に液晶パネル等が露呈した表示部２１及び操作部材が露呈状態で配置された操作部２２を備えると共に、内部に制御用の回路部（図７参照）が装填されている。
【００４２】
図６は、制御部２０の表示部２１、操作部２２の詳細を示すものである。表示部２１は機器ケース２００の正面部の略中央に配置され、その画面に、時間表示域Ｐ１、距離表示域Ｐ２および速度表示域Ｐ３が（図６の）上側からこの順に形成され、その他の余白域に、必要に応じてペットを模擬した画像Ｇ０が表示される基本画面を形成するものである。なお、モードの選択結果は、表示部２１の「時間」、「距離」のうち、選択された表示域の表示形態が他方と区別される態様で、例えば枠画像が表示されたり、該当文字が色違いにされたり、点滅したりするなどするようにしている。図６では、「時間」の表示文字の周りに枠画像が表示されて、「時間モード」が選択中であることが判るようにしている。さらに、「速度」設定中は対応する文字「速度」の表示領域に対して設定中を示すための表示形態（図６では白黒反転表示）が採用され、これにより操作者に対して操作状況を効果的にガイド及び確認容易としている。
【００４３】
表示部２１の周りには、操作部２２やスピーカ２３が設けられている。操作部２２は、電源入／切・スイッチとしてのボタン２２１、運動モードの選択や、設定内容のキャンセルを行う選択／キャンセルボタン２２２、決定／スタートボタン２２３、速度／設定アップボタン２２４、速度／設定ダウンボタン２２５、ストップボタン２２６からなる。操作ボタン２２１〜２２６は、例えば、固定端子と可動の操作端子とを備え、操作端子を押下することで操作端子が固定端子に接触して、押下操作を検知する公知の機械式スイッチで構成されている。各ボタンの構造は特に押しボタン構造に限定されず、接触式の静電スイッチや非接触式の近接スイッチ等でもよい。
【００４４】
センサ４０は、左右フレーム部１１１の一方であって、走行用ベルト１２３の後方側に配置されている。センサ４０は好ましくは近接スイッチで構成され、例えば赤外線を媒体とした発光部と受光部とを備え、走行用ベルト１２３上の物体（主にはペット）の有無を検知するものである。センサ４０は左右フレーム部１１１の前後方向に対して配置位置が変更可能にされており、ペットの体長等に合わせて位置調節が可能にされている。
【００４５】
図７は制御部の一例を示すブロック構成図である。同図において、演算処理部２４はマイクロコンピュータ等で構成され、操作部２２の各ボタン２２１〜２２６や、処理プログラムや処理に必要な固定データ、また必要な画像データ類（文字フォント含む）を格納するＲＯＭや処理途中のデータを一時的に記憶するＲＡＭなどからなるメモリ部２４０が接続されている。画像処理部２１１はビデオＲＡＭや表示走査部を有し、演算処理部２４で得られた情報をビデオＲＡＭに画像として展開し、表示走査部によって表示部２１に周期的に導くものである。音声処理部２３１は同様に所要の操作ガイドのための音声や、効果音とかペットへの号令乃至は指令音等を運動開始や終了時、またセンサ４０の検知に応じて発するための音声合成処理等を行ってスピーカ２３に出力するものである。
【００４６】
駆動部２５は、演算処理部２４からの駆動指示信号（速度指示含む）に従ってモータ１２４に駆動信号を出力するものである。速度調整は、モータの種類によって異なり、公知の方法、例えば電力レベル調整、デューティー比率調整、あるいは駆動パルスの周波数調整等の公知の方法が採用可能である。なお、走行用ベルト１２３の周回速度は、予め駆動指示信号と実際の周回速度との関係から設定することができる。または、モータ１２４の駆動信号、あるいはモータ出力軸に一体化されたエンコーダから回転パルスを取り出し、これを、演算処理部２４で、時間軸方向に計測することで得られるモータ回転速度、すなわち走行用ベルトの周回速度をフィードバックして調整設定する態様のいずれでもよい。
【００４７】
演算処理部２４は、運動モード設定部２４１、運動内容設定部２４２及び運動監視部２４３を備えると共に、計時のためのタイマ２４４を内蔵する。運動モード設定部２４１は、操作部２２からの操作入力に応じて運動量を運動時間「時間モード」で設定するか、走行距離「距離モード」で設定するかの指示を判断し、指示されたモードに応じた処理を行うものである。運動内容設定部２４２は、操作部２２からの操作入力に応じて各モードでの運動内容を判断し、設定内容に従って走行駆動部１２のモータ１２４に駆動信号、停止のための信号を出力するものである。運動監視部２４３は、走行距離、時間が設定モードにおける設定値に達したか否かの判定、モータ１２４の駆動中に操作部２２のストップボタン２２６からの操作入力や、センサ４０の検出状態の監視を行うものである。
【００４８】
図８は、演算処理部２４による動作を説明するフローチャートである。先ず、電源入／切ボタン２２１が押下されて電源が投入されると、図６に示す基本画面の表示が行われ（ステップＳＴ１）、次いで選択／キャンセルボタン２２２へのモード選択のための操作状況の監視状態に移行する（ステップＳＴ３）。
【００４９】
ここで、選択／キャンセルボタン２２２の押下が検知されると（ステップＳＴ３でＹＥＳ）、「時間モード」と「距離モード」の選択状態が変更され（ステップＳＴ５）、現在表示中の枠画像が消去され、他方の（変更された側の）モードを示す文字側に枠画像が表示される。なお、当初の基本画面としては一方がデフォルトとして初期設定されていてもよいし、直前の使用モードを記憶しておいてこれを最初に表示部２１に表示するようにしてもよい。
【００５０】
モード選択のための操作は、選択／キャンセルボタン２２２の押下の毎に「時間モード」と「距離モード」とが交互に選択される。ステップＳＴ３で選択／キャンセルボタン２２２が押下されなければ、現在選択しているモードのままで、ステップＳＴ５に移行する。今、表示部２１に「距離モード」を表す画面になっていて、この状態で決定／スタートボタン２２３の押下が検出されると（ステップＳＴ３）、「時間モード」の選択に切り替わる（ステップＳＴ５）。
【００５１】
次いで、決定／スタートボタン２２３が押下されたか否かの判断が行われ（ステップＳＴ７）、押下されていなければ、ステップＳＴ３に戻り、押下されたのであれば、モードの確定処理が行われる（ステップＳＴ９）。
【００５２】
選択モードが確定すると、速度／設定アップボタン２２４、または速度／設定ダウンボタン２２５のいずれかが押下されたか否かの判断が行われ（ステップＳＴ１１）、押下の毎に数値が所定単位ずつ、例えば「時間モード」が選択されている場合には、１秒単位でのアップ、ダウンで変更設定され、「距離モード」が選択されている場合には、０．１ｋｍ単位でのアップ、ダウンで変更設定される（ステップＳＴ１３）。なお、ボタンの押下が継続していることを検知し、その間、所定の速度で数値がアップ（又はダウン）していく態様として、設定操作を容易化するようにしてもよい。
【００５３】
続いて、決定／スタートボタン２２３の押下が検出されると（ステップＳＴ１５）、駆動部２５に対して駆動指示信号が出力され、モータ１２４によって所定の設定速度（初期速度）で走行用ベルト１２３（図７）の周回動作が開始される（ステップＳＴ１７）、表示部２１の速度表示域Ｐ３に初期速度が表示される。走行用ベルト１２３の始動時には、運動内容設定部２４２によって、速度が徐々に上昇して初期速度に達するスローアップスタート処理を行わせるのが好ましい。
【００５４】
走行用ベルト１２３が始動されると、運動監視部２４３によって、周回速度（速度表示域Ｐ３に表示されている速度）とタイマ２４４とから所定時間毎の走行距離が算出され、直前までの算出値に加算されて総走行距離が求められ（ステップＳＴ１９）、メモリ部２４０に逐次更新的に書き込まれる。
【００５５】
続いて、速度／設定アップボタン２２４、または速度／設定ダウンボタン２２５のいずれかが押下されたか否かの判断が行われ（ステップＳＴ２１）、押下の毎に速度が所定単位ずつ、例えば時速０．１ｋｍ単位でアップ、ダウン方向に変更設定され（ステップＳＴ１３）、この設定内容に従って、運動内容設定部２４２は、駆動指示信号を駆動部２５に出力する（ステップＳＴ２３）。
【００５６】
次いで、運動監視部２４３によって、設定モードにおける設定値に達したか否かの判定が行われる（ステップＳＴ２５）。すなわち、設定モードが「時間モード」の場合に、タイマ２４４によって計時された時間が予め設定した時間に達したか否か、また設定モードが「距離モード」の場合に、速度とタイマ２４４による単位時間毎の走行距離の総和が予め設定した距離に達したか否が判断される。設定値に達していれば、運動内容設定部２４２によって速度が徐々にダウンするスローダウンのための駆動指示信号が駆動部２５に出力される（ステップＳＴ２７）、最終的に走行用ベルト１２３の停止が行われる。（ステップＳＴ２９）。
【００５７】
一方、ステップＳＴ２５で、設定値に達していなければ、運動監視部２４３によって、ストップボタン２２６が押下されたか否か、あるいはセンサ４０が障害物有りの検出信号を出力したか（運動者又はペットが走行用ベルト１２３の後方側へ押し流された場合など）の判断が行われ（ステップＳＴ３１）、いずれの判断も否定されれば、ステップＳＴ２１に戻り、いずれか一方でも、その判断が肯定されると、運動内容設定部２４２によって速度が徐々にダウンするスローダウンのための駆動指令信号が駆動部２５に出力される（ステップＳＴ３３）、最終的に走行用ベルト１２３の一旦停止が行われて（ステップＳＴ２９）、ステップＳＴ１５に戻る。そして、ステップＳＴ１５で、決定／スタートボタン２２３の押下が検出されると、駆動部２５に対して、再び駆動指示信号が出力され、モータ１２４によって所定の初期速度、あるいは直前の走行運動時の設定速度で走行用ベルト１２３の周回動作が再開される（ステップＳＴ１７）。これにより、一時的な停止の後、当初の運動に復帰することが可能となる。なお、一時停止の期間は、タイマ２４４を利用することで所定の時間に予め設定するようにすることもでき、これにより自動再開が可能となる。
【００５８】
図９は、本発明に係る運動支援装置の他の実施形態を示す斜視図である。同図において、繋ぎ止め機構部１４′は、図１と同様、支柱１３１の高さ方向適所、例えば略中央部であって、把持部１３２の下方位置に装備されている。その他の構成は図１と同様である。
【００５９】
繋ぎ止め機構部１４′は、左右の支柱１３１に対して水平軸周りに回動可能に取り付けられた所定長を有する回動アーム１４１′と、両方の回動アーム１４１′の先端同士を連結する棒状、好ましくは円柱状の連結棒部材１４２′と、所定長を有し、開放状態乃至は開放状態に近い状態で連結棒部材１４２′に遊嵌されたコイル状バネ１４３′と、コイル状バネ１４３′の両端に結ばれたペットを繋ぎ止めるための繋ぎ部材１４４′とを備える。繋ぎ部材１４４′は、その両端がそれぞれコイル状バネ１４３′の両端に結ばれた所要長を有する変形自在な紐材１４４ａ′と、その長さ方向中央に取り付けられ、ペットの拘束紐（リード）３０を連結するホルダー１４４ｂ′とからなる。
【００６０】
ホルダー１４４ｂ′にペットが繋がれていない、又は繋がれていても、走行用ベルト１２３の前後方向の中央乃至は前側にいる時は、図９に示すように、コイル状バネ１４３′が開放状態にあって、コイル状バネ１４３′は連結棒部材１４２′の長さ方向に開放されている。一方、ペットが走行用ベルト１２３の走行速度より遅れ又は走行を止めることで後方側に押し流された状態では、図１０に示すように、紐材１４４ａ′は後方への引っ張り力Ｆを受けるが、この力Ｆによってコイル状バネ１４３′の両端に連結棒部材１４２′の長尺方向への成分力（図１０中、矢印Ｆａで示す）が生じて、コイル状バネ１４３′が弾性圧縮される。このコイル状バネ１４３′の弾性圧縮によって、紐材１４４ａ′の中心のホルダー１４４ｂ′が弾性力を介して後方に移動することになるので、ペットには拘束紐３０を介して急激な力が作用しないことになる。
【００６１】
また、回動アーム１４１′は、支柱１３１に摺動可能に嵌合されたボス部材１４０ａ′に設けられ、ボス部材１４０ａ′は、回動による支柱１３１との間の締め付けと弛緩とによって上下方向への摺動による高さ調整と所要高さ位置での固定（ロック）とを可能にする摘み１４０ｂ′（ロック部材に相当）を有する。摘み１４０ｂ′によって、繋ぎ止め機構部１４′の高さ位置が調整されるので、ペットの種類や背丈に合わせた高さ調整が可能となる。
【００６２】
また、回動アーム１４１′は基端の回動軸１４１ａ′でボス部材１４０ａ′に回動可能に取り付けられており、かつボス部材１４０ａ′が対向する面側の適所に凸状のストッパ等を設けることで、回動アーム１４１′が旋回時に、ストッパに当接して、回動範囲が規制されるようにしている。回動範囲としては、使用位置では、後方（例えば水平）、すなわち走行側に向けることができ、退避位置では上方やや前方（すなわち重力的に姿勢安定可能な角度位置）に、あるいは前方側（例えば水平）まで旋回しうるようにすればよい。あるいは、ボス部材１４０ａ′が対向する面側に回動アーム１４１′がボス部材１４０ａ′に対して弛緩状態を与える摘み（締め付け部材）を設け、これによって、使用位置と退避位置とに位置変更し、かつ変更位置でロックしうる構成としてもよい。締め付け方法としては公知の種々の方法が採用可能である。また、退避位置側のみが重力的に、又はロックされて当該位置で姿勢安定されればよく、使用位置はフリーとする態様でもよい。
【００６３】
図１１は、本発明に係る運動支援装置の更に他の実施形態を示す斜視図である。図１１の運動支援装置は、図９に示すものに比して、支持体１３の形状が僅かに異なると共に、フェンス１１６に透明板１１６ａが付加されたものである。
【００６４】
図１２、図１３は、図１１に示す運動支援装置の使用態様を示す斜視図で、図１２はペットに走行運動を行わせる使用態様であり、図１３は人が走行運動する使用態様である。図１２に示すように、ペットに走行運動を行わせる使用態様では、ペットを走行用ベルト１２３に乗せたのち、ペット拘束紐３０の先端部をホルダー１４４ｂ′に連結する。制御部２０は、表示部２１が前方を向くように姿勢変更されており、この状態で、ペットの状態を観察しながら、ペットの走行状態に合わせたモード設定や速度設定等の操作が容易に行えるようにしている。
【００６５】
図１３に示すように、人が走行運動を行う場合には、繋ぎ止め機構部１４′は不使用、すなわち退避位置に位置されており、これにより、運動者の膝などが不用意に繋ぎ止め機構部１４′に当たることがなくなり、通常の走行動作と同様な動きで好適に脚強化の運動支援が図れると共に、ペットと人がこの運動支援装置１を兼用して使用することができ、経済的でかつ設置スぺースに無駄がなく、実用的で汎用性がある。
【００６６】
なお、上記各実施例において、走行用ベルトの走行速度の最高速度を、ペット、特に犬の走行時の安全を考慮し、例えば８ｋｍ／ｈと設定するようにしてもよい。この最高速度を人間用にも適用する場合には、例えばリハビリ用の歩行装置として供することができる。
【００６７】
本発明は、以下の態様を採用することが可能である。
（１）繋ぎ止め機構部１４′の使用位置と退避位置との位置変更は回転（旋回）によるもので説明したが、これに限定されず、ボス部材１４０ａ（１４０ａ′）を把持部１３２の直下までスライド可能とし、この位置を退避位置とすることも可能である。この場合、回動アーム１４１（１４１′）は回動させなくでもよい。
（２）運動監視部２４３は、センサ４０がペットを検知した場合に、一時的に速度を低下させ、その状態でセンサ４０の出力状態を監視し、ペットが検知されなければ、元の設定速度に（スローアップ処理などを介して）戻すようにしてもよい。この場合、疲労回復なども考慮して所定の時間を置いて、戻すようにしてもよい。また、所定時間内にセンサ４０が再びペットを検知したときには、疲れあるいは飽き等を考慮して停止処理させるようにしてもよい。
（３）上記各実施例において、各メニューや走行機能については人間、ペット兼用としているが、制御部２０に犬／人間モード切替ボタンを設け、犬用／人用のメニューやテーブルを切り換えるようにしてもよい。
【図面の簡単な説明】
【００６８】
【図１】本発明に係る運動支援装置の一実施形態を示す斜視図である。
【図２】前カバーを示す部分部斜視図である。
【図３】後カバー部分を示す部分側面図である。
【図４】制御部の装着姿勢を示す図で、（ａ）は傾倒状態を説明する図、（ｂ）は回転状態を説明する図である。
【図５】繋ぎ止め機構部の動作を説明する斜視図である。
【図６】制御部の正面図である。
【図７】制御部の機能ブロック図である。
【図８】制御部の動作を説明するフローチャートである。
【図９】本発明に係る運動支援装置の他の実施形態を示す斜視図である。
【図１０】図９の装置における繋ぎ止め機構部の動きを説明する部分斜視図である。
【図１１】本発明に係る運動支援装置の更に異なる実施形態を示す斜視図である。
【図１２】図１１の装置の使用の一例をペットについて示す斜視図である。
【図１３】図１１の装置の使用の一例を人について示す斜視図である。
【符号の説明】
【００６９】
１  運動支援装置
１１  基台
１１１  左右フレーム部
１１２  前後フレーム部
１１３  前カバー
１１４  後カバー
１１４ｃ  掃除具
１１５  凹部
１２  走行駆動部
１２１  前ローラ
１２２  後ローラ
１２３  無端状の走行用ベルト
１２４  モータ（駆動源）
１３  支持体
１３１  支柱
１３２  把持部
１４，１４′  繋ぎ止め機構部
１４０ａ，１４０ａ′  ボス部材
１４０ｂ，１４０ｂ′  摘み（ロック部材）
１４１，１４１′  回動アーム
１４２  連結部材
１４２′  連結棒部材
１４３  バネ（付勢部材）
１４３′  コイル状バネ
１４４，１４４′  繋ぎ部材
１４４ａ  保持ロッド
１４４ａ′  紐材
１４４ｂ，１４４ｂ′  ホルダー
２０  制御部
２００  機器ケース（筐体）
２０１ａ  操作摘み
２１  表示部
２１１  画像処理部
２２  操作部
２４  演算処理部
２４０  メモリ部
２４１  運動モード設定部
２４２  運動内容設定部
２４３  運動監視部
２４４  タイマ
２５  駆動部
４０  センサ
【図１】
2007082418.tif 000003
【図２】
2007082418.tif 000004
【図３】
2007082418.tif 000005
【図４】
2007082418.tif 000006
【図５】
2007082418.tif 000007
【図６】
2007082418.tif 000008
【図７】
2007082418.tif 000009
【図８】
2007082418.tif 000010
【図９】
2007082418.tif 000011
【図１０】
2007082418.tif 000012
【図１１】
2007082418.tif 000013
【図１２】
2007082418.tif 000014
【図１３】
2007082418.tif 000015